(57)【要約】【課題】吸収体が崩れる事態を防止しつつ、吸収体に許容される容量近くまで尿を吸収することが可能な尿取りパッドを提供する。【解決手段】尿取りパッドは表面シート１２０と裏面シート１３０と吸収体１４０とを備える。吸収体１４０は、肌側に位置する上層吸収体１４０ａと、非肌側に位置する下層吸収体１４０ｂと、を備える。上層吸収体１４０ａは、排尿領域に、長手方向に延設され、表面シート側の面から厚さ方向に上層吸収体の内部に延びる上層溝部１４１ａをする。下層吸収体１４０ｂは、吸収性コア１４４と、吸収性コアを包む被覆シート１４５と、を含む。被覆シートは、吸収性コアの非肌側の面及び幅方向の両側面を覆い、かつ被覆シートの幅方向の両端縁同士が吸収性コアの肌側で重なり合った状態で吸収性コアの肌側の面を覆うように、吸収性コアを包み込んでいる。吸収性コアの肌側の面は被覆シートと非接合である。【選択図】図２
2017217112.tif 000002
【特許請求の範囲】
【請求項１】
液透過性の表面シートと、液不透過性の裏面シートと、前記表面シートと前記裏面シートとの間に位置する吸収体とを備え、長手方向、幅方向及び厚さ方向を有する尿取りパッドであって、
前記吸収体は、肌側に位置する上層吸収体と、非肌側に位置する下層吸収体と、を備え、
前記上層吸収体は、排尿領域に、前記長手方向に延設され、前記表面シート側の面から前記厚さ方向に前記上層吸収体の内部に延びる上層溝部を有し、
前記下層吸収体は、吸収性コアと、前記吸収性コアを包む被覆シートと、を含み、
前記被覆シートは、前記吸収性コアの非肌側の面及び前記幅方向の両側面を覆い、かつ前記被覆シートの前記幅方向の両端縁同士が前記吸収性コアの肌側で重なり合った状態で前記吸収性コアの肌側の面を覆うように、前記吸収性コアを包み込んでおり、
前記吸収性コアの肌側の面は前記被覆シートと非接合である、
尿取りパッド。
【請求項２】
前記上層吸収体の非肌側の面と、前記被覆シートの肌側の面とは非接合である、
請求項１に記載の尿取りパッド。
【請求項３】
前記上層吸収体は、前記下層吸収体よりも前記幅方向に広く、
前記下層吸収体よりも広い部分は前記裏面シートと接合している
請求項１又は２に記載の尿取りパッド。
【請求項４】
前記長手方向において、前記尿取りパッドの両端部での前記表面シートと前記裏面シートとの間の接着剤の坪量は、前記尿取りパッドの前記両端部以外での前記表面シートと前記裏面シートとの間の接着剤の坪量よりも大きい、
請求項１乃至３のいずれか一項に記載の尿取りパッド。
【請求項５】
前記上層吸収体の上層溝部は前記厚さ方向に貫通しており、
前記下層吸収体の前記吸収性コアは、前記排尿領域に、前記長手方向に延設され、前記厚さ方向に窪んだ下層溝部を有し、
前記下層溝部は、前記上層溝部の少なくとも一部と前記厚さ方向に重なる、
請求項１乃至４のいずれか一項に記載の尿取りパッド。
【請求項６】
前記吸収性コアの前記下層溝部は前記厚さ方向に貫通しており、
前記吸収性コアにおける前記下層溝部の非肌側の端縁を囲む領域は、前記被覆シートと接合されている、
請求項５に記載の尿取りパッド。
【請求項７】
前記長手方向の一方は腹側方向であり、他方は背側方向であり、
前記下層溝部の前記腹側方向の下層腹側端部と前記尿取りパッドの前記腹側方向の端部との距離は、前記下層溝部の前記背側方向の下層背側端部と前記尿取りパッドの前記背側方向の端部との距離よりも短く、
前記下層腹側端部の壁面が前記下層溝部内の底面に対して成す角は、前記下層背側端部の壁面が前記下層溝部内の底面に対して成す角よりも垂直に近い、
請求項５又は６に記載の尿取りパッド。
【請求項８】
前記下層溝部の壁面が前記下層溝部内の底面に対して成す角は、前記上層溝部の壁面が前記上層溝部内の底面に対して成す角よりも垂直に近い、
請求項５乃至７のいずれか一項に記載の尿取りパッド。
【請求項９】
前記長手方向の一方は腹側方向であり、他方は背側方向であり、
前記上層溝部の前記腹側方向の上層腹側端部と前記尿取りパッドの前記腹側方向の端部との距離は、前記上層溝部の前記背側方向の上層背側端部と前記尿取りパッドの前記背側方向の端部との距離よりも短く、
前記上層腹側端部の壁面が前記上層溝部内の底面に対して成す角は、前記上層背側端部の壁面が前記上層溝部内の底面に対して成す角よりも垂直に近い、
請求項１乃至８のいずれか一項に記載の尿取りパッド。
【請求項１０】
前記長手方向の一方は腹側方向であり、他方は背側方向であり、
前記上層溝部の前記幅方向の一方の上層幅方向端部と、前記尿取りパッドの前記幅方向の一方の端部との距離、及び、前記上層溝部の前記幅方向の他方の上層幅方向端部と、前記尿取りパッドの前記幅方向の他方の端部との距離は、前記上層溝部の前記腹側方向の上層腹側端部と前記尿取りパッドの前記腹側方向の端部との距離、及び、前記上層溝部の前記背側方向の上層背側端部と前記尿取りパッドの前記背側方向の端部との距離よりも短く、
前記一方及び他方の上層幅方向端部の壁面が前記上層溝部内の底面に対して成す角は、前記上層腹側端部の壁面が前記上層溝部内の底面に対して成す角、及び、前記上層背側端部の壁面が前記上層溝部内の底面に対して成す角よりも垂直に近い、
請求項１乃至９のいずれか一項に記載の尿取りパッド。
【請求項１１】
前記上層吸収体及び前記下層吸収体は、高分子吸収体とパルプ繊維とを含んでおり、
前記高分子吸収体と前記パルプ繊維とを合わせた坪量に対する前記高分子吸収体の坪量の割合は、前記上層吸収体の方が前記下層吸収体の方よりも大きい、
請求項１乃至１０のいずれか一項に記載の尿取りパッド。
【請求項１２】
前記表面シートは、肌側の表面に凸部を形成された不織布であり、
前記不織布のうち前記凸部における厚さ方向配向繊維の含有率が、前記不織布のうち前記凸部以外の部分における厚さ方向配向繊維の含有率よりも大きく、
前記不織布の湿潤時厚みが、前記不織布の乾燥時厚みの８５％以上である、
請求項１乃至１１のいずれか一項に記載の尿取りパッド。
【発明の詳細な説明】
【技術分野】
【０００１】
本発明は、尿取りパッドに関する。
【背景技術】
【０００２】
尿取りパッドは、おむつの中に配置されて使用される尿吸収用のパッドであり、例えば寝たきりの人や体の不自由な人などに利用される。したがって、ある程度の長時間で装着されることが想定されるので、それに見合った多量の尿を吸収可能であることが要求される。一方で、多量の尿を吸収すると、吸収体が崩れる可能性があり、吸収体が崩れる事態を起こさせずに、多量の尿を吸収可能にする技術が検討されている。
【０００３】
吸収体の吸収性能を高める技術として、例えば特許文献１に使いすておむつが開示されている。特許文献１の使いすておむつでは、吸収体を包む親水性シートとトップシートとの間、及び／又は、親水性シートと吸収体との間、が接着剤で接着固定され、長手方向に延び、幅方向の中央に位置する長手方向中央帯域の接着剤量が、長手方向に延び、幅方向の両側に位置する長手方向両側縁帯域の接着剤量よりも少ない。すなわち、長手方向中央帯域での接着剤の塗布量を少なくし、尿が吸収体に向かうときにその接着剤で妨げられないようにすることで、吸収性能を損なわないようにしつつ、接着剤を塗布していることで、吸収体が崩れる事態を防止しようとしている。また、特許文献２には、吸収性物品において、トップシートに形成され、透液性及び肌触りを向上させる凸部の形状を湿潤状態でも維持可能にする技術が開示されている。
【先行技術文献】
【特許文献】
【０００４】
【特許文献１】特開２００１−１７４７０号公報
【特許文献２】特許第５６８３７４２号公報
【発明の概要】
【発明が解決しようとする課題】
【０００５】
特許文献１の使い捨ておむつでは、トップシートとバックシートとの周縁部分での接合及びバックシートと親水性シートとの接合については明細書及び図面に明示されていないが、技術的常識を考慮するといずれも互いに接着剤で接着固定されていると考えられる。その場合、親水性シートの肌側の部分及び非肌側の部分がいずれも接着剤で他の部材に固定されていることになり、親水性シートで囲まれた領域の容積を大きくすることはできない。そうなると、吸収体が尿を吸収して膨潤しようとしても、親水性シートに膨潤を妨げられて親水性シートで囲まれた領域の容積までしか膨潤できず、よって吸収体の尿の吸収量が制限を受けてしまう。その結果、吸収体を、容量の限界まで使用することができず、すなわち吸収体に許容される容量近くまで尿を吸収することができず、吸収体での吸収性能を十分に生かし切れないおそれがある。そうなると、一つの使い捨ておむつに吸収可能な尿の量が少なくなり、例えば寝たきりの人や体の不自由な人などにおいて夜間での使い捨ておむつの交換の回数が増加して、それらの人やそれらの介護者にとって排泄に係る負担が増加してしまう。
【０００６】
本発明の目的は、吸収体が崩れる事態を防止しつつ、吸収体に許容される容量近くまで尿を吸収することが可能な尿取りパッドを提供することにある。
【課題を解決するための手段】
【０００７】
本発明の尿取りパッドは、（１）液透過性の表面シートと、液不透過性の裏面シートと、前記表面シートと前記裏面シートとの間に位置する吸収体とを備え、長手方向、幅方向及び厚さ方向を有する尿取りパッドであって、前記吸収体は、肌側に位置する上層吸収体と、非肌側に位置する下層吸収体と、を備え、前記上層吸収体は、排尿領域に、前記長手方向に延設され、前記表面シート側の面から前記厚さ方向に前記上層吸収体の内部に延びる上層溝部を有し、前記下層吸収体は、吸収性コアと、前記吸収性コアを包む被覆シートと、を含み、前記被覆シートは、前記吸収性コアの非肌側の面及び前記幅方向の両側面を覆い、かつ前記被覆シートの前記幅方向の両端縁同士が前記吸収性コアの肌側で重なり合った状態で前記吸収性コアの肌側の面を覆うように、前記吸収性コアを包み込んでおり、前記吸収性コアの肌側の面は前記被覆シートと非接合である、尿取りパッド。
【０００８】
本尿取りパッドでは、上層吸収体には表面シート側の面から下層吸収体へ向かって窪んだ上層溝部を形成すると共に、下層吸収体の吸収性コアの肌側の面を被覆シートと非接合にしている、すなわち吸収性コアの膨潤に応じて、被覆シートの幅方向の両端縁が外側に移動してゆき、被覆シートの内側の領域の容積を大きくすることができるようにしている。それにより、排泄された尿の大部分を排尿領域の上層溝部を介して下層吸収体の内部へ移動させ吸収させることができると共に、下層吸収体での尿の吸収量が多くなって下層吸収体の吸収性コアが膨潤しても、被覆シートが吸収性コアの膨潤を妨げることを抑制できる。その結果、下層吸収体が尿の吸収量の制限を受けることはなく、吸収体をその容量の限界まで使用することができる。このとき、下層吸収体の吸収性コアが膨潤して、吸収性コアの肌側の面の一部が被覆シートに覆われなくなり、吸収性コアが崩れるおそれがある。しかし、吸収性コアの肌側には上層吸収体が位置しているので、被覆シートで覆われなくなった吸収性コアの肌側の面を上層吸収体で覆うことで、吸収体が崩れる事態を防止できる。このようにして、吸収体が崩れることを防止しつつ、吸収体をその容量の限界近くまで使用することができる。すなわち尿取りパッドにおいて吸収性能を十分に生かすことができ、着用者や着用者を介護する介護者の負担を減らすことが可能となる。
【０００９】
本発明の尿取りパッドは、（２）前記上層吸収体の非肌側の面と、前記被覆シートの肌側の面とは非接合である、上記（１）に記載の尿取りパッド、であってもよい。
本尿取りパッドでは、上層吸収体と下層吸収体の被覆シートとが接合されていないので、被覆シートは、上層吸収体による移動がより制限されなくなる。それにより、下層吸収体の吸収性コアが膨潤したとき、被覆シートの重なり合った両端縁は上層吸収体に妨げられずにより容易に幅方向の外側に移動することができる。それにより、吸収体が崩れることを防止しつつ、吸収体をその容量の限界近くまで使用することができる。
【００１０】
本発明の尿取りパッドは、（３）前記上層吸収体は、前記下層吸収体よりも前記幅方向に広く、前記下層吸収体よりも広い部分は前記裏面シートと接合している、上記（１）又は（２）に記載の尿取りパッド、であってもよい。
本尿取りパッドでは、上層吸収体が下層吸収体よりも幅方向に広く、その広い部分が裏面シートと接合している。その場合、幅方向において、下層吸収体は尿を吸収して膨潤し、その両端縁がその広い部分と裏面シートとの接合部分まで達すると、下層吸収体の略中央部分が上層吸収体の側、すなわち肌側へ凸な形状になり、下層吸収体の幅方向の変形が吸収される。その変形により、着用者の排尿領域に吸収体がより近づく形態となり、排泄された尿の大部分を排尿領域の上層溝部から下層吸収体の内部へ移動させ吸収させ易くできる。それにより、吸収体が崩れることを防止しつつ、吸収体をその容量の限界のより近くまで使用することができる。
【００１１】
本発明の尿取りパッドは、（４）前記長手方向において、前記尿取りパッドの両端部での前記表面シートと前記裏面シートとの間の接着剤の坪量は、前記尿取りパッドの前記両端部以外での前記表面シートと前記裏面シートとの間の接着剤の坪量よりも大きい、上記（１）乃至（３）のいずれか一項に記載の尿取りパッド、であってもよい。
吸収性コアが尿を吸収して膨潤が進むと、吸収体の膨らむ力が強くなり過ぎて長手方向の両端部に隙間が生じ、長手方向の両端部から吸収性コアが崩れるおそれがある。本尿取りパッドでは、尿取りパッドの長手方向の両端部にて接着剤が多く塗布されているので、そのような長手方向の両端部から吸収体が崩れる事態を防止できる。それにより、吸収体が崩れることを防止しつつ、吸収体をその容量の限界近くまで使用することができる。
【００１２】
本発明の尿取りパッドは、（５）前記上層吸収体の上層溝部は前記厚さ方向に貫通しており、前記下層吸収体の前記吸収性コアは、前記排尿領域に、前記長手方向に延設され、前記厚さ方向に窪んだ下層溝部を有し、前記下層溝部は、前記上層溝部の少なくとも一部と前記厚さ方向に重なる、上記（１）乃至（４）のいずれか一項に記載の尿取りパッド、であってもよい。
本尿取りパッドでは、下層吸収体にも下層溝部が形成されているので、非肌側に尿をより下層吸収体の内部へ引き込むことができ、吸収体をその容量の限界のより近くまで使用できる。また、尿が表面シートに拡がって湿った状態となることを抑制でき、吸収体をその容量の限界近くまで使用しても、着用者の肌が湿った状態になることを抑制でき、肌を乾燥した状態に維持することができる。
【００１３】
本発明の尿取りパッドは、（６）前記吸収性コアの前記下層溝部は前記厚さ方向に貫通しており、前記吸収性コアにおける前記下層溝部の非肌側の端縁を囲む領域は、前記被覆シートと接合されている、上記（５）に記載の尿取りパッド、であってもよい。
本尿取りパッドでは、吸収性コアにおける下層溝部の非肌側の端縁を囲む領域が、被覆シートと接合されているので、下層溝部の非肌側の端縁の位置が固定される。それにより、着用者の動きや尿の流通にかかわらず、下層溝部の形状を維持することができる。それにより尿を下層吸収体に引き込む性能を維持することができ、吸収体をその容量の限界のより近くまで使用できる。
【００１４】
本発明の尿取りパッドは、（７）前記長手方向の一方は腹側方向であり、他方は背側方向であり、前記下層溝部の前記腹側方向の下層腹側端部と前記尿取りパッドの前記腹側方向の端部との距離は、前記下層溝部の前記背側方向の下層背側端部と前記尿取りパッドの前記背側方向の端部との距離よりも短く、前記下層腹側端部の壁面が前記下層溝部内の底面に対して成す角は、前記下層背側端部の壁面が前記下層溝部内の底面に対して成す角よりも垂直に近い、上記（５）又は（６）に記載の尿取りパッド、であってもよい。
下層腹側端部の壁面は、下層背側端部の壁面よりも尿取りパッドの端部に近いので、下層腹側端部から漏れ出た尿は、上層溝部を介して尿取りパッドの端部に相対的に到着し易い。本尿取りパッドでは、下層腹側端部の壁面を、下層背側端部の壁面よりも、下層溝部内の底面に対して垂直に近く、より急峻にしている。そのため、下層腹側端部から上層溝部を介して尿取りパッドの端部へ向かって尿を漏れ難くすることができる。尿をより下層吸収体の内部へ引き込むことができる。それにより、尿を漏らすことなく、吸収体をその容量の限界のより近くまで使用できる。
【００１５】
本発明の尿取りパッドは、（８）前記下層溝部の壁面が前記下層溝部内の底面に対して成す角は、前記上層溝部の壁面が前記上層溝部内の底面に対して成す角よりも垂直に近い、上記（５）乃至（７）のいずれか一項に記載の尿取りパッド、であってもよい。
本尿取りパッドでは、下層溝部の壁面を、上層溝部の壁面よりも、溝部内の底面に対して垂直に近く、より急峻にしている。そのため、上層溝部の壁面が緩やかなので、上層溝部を介して尿を下層溝部へより引き込み易くなり、かつ、下層溝部の壁面が急峻なので一度引き込んだ尿を外部へ漏れ難くすることができる。それにより、尿を漏らすことなく、吸収体をその容量の限界のより近くまで使用できる。
【００１６】
本発明の尿取りパッドは、（９）前記長手方向の一方は腹側方向であり、他方は背側方向であり、前記上層溝部の前記腹側方向の上層腹側端部と前記尿取りパッドの前記腹側方向の端部との距離は、前記上層溝部の前記背側方向の上層背側端部と前記尿取りパッドの前記背側方向の端部との距離よりも短く、前記上層腹側端部の壁面が前記上層溝部内の底面に対して成す角は、前記上層背側端部の壁面が前記上層溝部内の底面に対して成す角よりも垂直に近い、上記（１）乃至（８）のいずれか一項に記載の尿取りパッド、であってもよい。
上層腹側端部の壁面は、上層背側端部の壁面よりも尿取りパッドの端部に近いので、上層腹側端部から漏れ出た尿は、尿取りパッドの端部に相対的に到着し易い。本尿取りパッドでは、上層腹側端部の壁面を、上層背側端部の壁面よりも、上層溝部内の底面に対して垂直に近く、より急峻にしている。そのため上層腹側端部から尿取りパッドの端部へ向かって尿を漏れ難くすることができ、尿をより下層吸収体の内部へ引き込むことができる。その結果、尿を漏らすことなく、吸収体をその容量の限界のより近くまで使用できる。
【００１７】
本発明の尿取りパッドは、（１０）前記長手方向の一方は腹側方向であり、他方は背側方向であり、前記上層溝部の前記幅方向の一方の上層幅方向端部と、前記尿取りパッドの前記幅方向の一方の端部との距離、及び、前記上層溝部の前記幅方向の他方の上層幅方向端部と、前記尿取りパッドの前記幅方向の他方の端部との距離は、前記上層溝部の前記腹側方向の上層腹側端部と前記尿取りパッドの前記腹側方向の端部との距離、及び、前記上層溝部の前記背側方向の上層背側端部と前記尿取りパッドの前記背側方向の端部との距離よりも短く、前記一方及び他方の上層幅方向端部の壁面が前記上層溝部内の底面に対して成す角は、前記上層腹側端部の壁面が前記上層溝部内の底面に対して成す角、及び、前記上層背側端部の壁面が前記上層溝部内の底面に対して成す角よりも垂直に近い、上記（１）乃至（９）のいずれか一項に記載の尿取りパッド、であってもよい。
上層幅方向端部の壁面は、上層腹側端部の壁面及び上層背側端部の壁面よりも尿取りパッドの端部に近いので、上層幅方向端部から漏れ出た尿は、尿取りパッドの端部に相対的に到着し易い。本尿取りパッドでは、上層幅方向端部の壁面を、上層腹側端部の壁面及び上層背側端部の壁面よりも、上層溝部内の底面に対して垂直に近く、より急峻にしている。そのため、上層幅方向端部から尿取りパッドの端部へ向かって尿を漏れ難くすることができ、尿をより下層吸収体の内部へ引き込むことができる。それにより、尿を漏らすことなく、吸収体をその容量の限界のより近くまで使用できる。
【００１８】
本発明の尿取りパッドは、（１１）前記上層吸収体及び前記下層吸収体は、高分子吸収体とパルプ繊維とを含んでおり、前記高分子吸収体と前記パルプ繊維とを合わせた坪量に対する前記高分子吸収体の坪量の割合は、前記上層吸収体の方が前記下層吸収体の方よりも大きい、上記（１）乃至（１０）のいずれか一項に記載の尿取りパッド、であってもよい。
本尿取りパッドでは、下層吸収体の方が上層吸収体の方よりもパルプ繊維の割合が高くなっているため、尿をより下層吸収体の内部へ引き込むことができる。それにより、吸収体をその容量のより限界近くまで使用できる。
【００１９】
本発明の尿取りパッドは、（１２）前記表面シートは、肌側の表面に凸部を形成された不織布であり、前記不織布のうち前記凸部における厚さ方向配向繊維の含有率が、前記不織布のうち前記凸部以外の部分における厚さ方向配向繊維の含有率よりも大きく、前記不織布の湿潤時厚みが、前記不織布の乾燥時厚みの８５％以上である、上記（１）乃至（１１）のいずれか一項に記載の尿取りパッド、であってもよい。
本尿取りパッドでは、表面シートが所定の特性を有し、肌側の表面に凸部を形成された不織布であるため、表面シートでの凸部の形状が維持され、表面シートの目詰まりが抑制されて、吸収体をその容量の限界の更により近くまで使用できる。
【発明の効果】
【００２０】
本発明によれば、吸収体が崩れる事態を防止しつつ、吸収体に許容される容量近くまで尿を吸収することが可能な尿取りパッドを提供することにある。
【図面の簡単な説明】
【００２１】
【図１】実施の形態に係る尿取りパッドの平面図である。
【図２】図１に示す尿取りパッドの主要部の分解斜視図である。
【図３】図１のＩＩＩ−ＩＩＩ断面図である。
【図４】図１のＩＶ−ＩＶ断面図である。
【図５】図１に示す尿取りパッドの吸収体の作用を説明する模式図である。
【図６】図１に示す尿取りパッドの溝部の長手方向形状を説明する模式図である。
【図７】図１に示す尿取りパッドの溝部の幅方向形状を説明する模式図である。
【図８】図１に示す尿取りパッドの表面シートの部分斜視図である。
【図９】図８の表面シートの製造方法を説明する模式図である。
【発明を実施するための形態】
【００２２】
以下、実施の形態に係る尿取りパッドについて図面を参照して説明する。
【００２３】
図１〜図４は本実施の形態に係る尿取りパッド１００の構成を示している。ただし、図１は尿取りパッド１００の平面図であり、図２は尿取りパッド１００の主要部の分解斜視図であり、図３は図１のＩＩＩ−ＩＩＩ断面図であり、図４は図１のＩＶ−ＩＶ断面図である。尿取りパッド１００は、長手方向Ｌ、幅方向Ｗ及び厚さ方向Ｔを有し、幅方向Ｗの中心を通り、長手方向Ｌに延びる中央軸線ＣＬと、長手方向Ｌの股間部（後述）の中心を通り、幅方向Ｗに延びる中央軸線ＣＷを更に有する。中央軸線ＣＬに向かう方向及び遠ざかる方向を、それぞれ幅方向Ｗの内側及び外側の方向とし、中央軸線ＣＷに向かう方向及び遠ざかる方向を、長手方向Ｌの内側及び外側の方向とする。また、図１において、向って上方を長手方向Ｌの前方側又は腹側とし、向って下方を長手方向Ｌの後方側又は背側とする。また、本明細書において、尿取りパッド１００を上面側から厚さ方向に見ることを単に「平面視」という。「肌側」及び「非肌側」とは、尿取りパッド１００の着用者が尿取りパッド１００を着用したとき、厚さ方向Ｔにおいて相対的に着用者の肌面に近い側及び遠い側をそれぞれ意味する。
【００２４】
図１及び図２に示すように、尿取りパッド１００は、長手方向に沿って並ぶ腹側部１１１、股間部１１２及び背側部１１３を有し、平面視にて、長手方向の股間部１１２の略中央がくびれた瓢箪形状を有する。尿取りパッド１００が着用されるとき、腹側部１１１は着用者の腹部に当てられ、股間部１１２は着用者の股間部に当てられ、背側部１１３は着用者の尻部及び／又は背部に当てられる。尿取りパッド１００は、例えば長手方向Ｌの寸法は３５０〜８８０ｍｍであり、幅方向Ｗの寸法は１６０〜４６０ｍｍである。
【００２５】
尿取りパッド１００は、表面シート１２０と、裏面シート１３０と、吸収体１４０と、を備える。なお、尿取りパッド１００の長手方向Ｌ、幅方向Ｗ及び厚さ方向Ｔ、肌側及び非肌側は、表面シート１２０、裏面シート１３０及び吸収体１４０と一致するので、表面シート１２０、裏面シート１３０及び吸収体１４０においても尿取りパッド１００と同様に長手方向Ｌ、幅方向Ｗ及び厚さ方向Ｔ、肌側及び非肌側を用いる。
【００２６】
表面シート１２０は、厚さ方向Ｔにおいて肌側に位置する液透過性シートである。表面シート１２０としては、例えば液透過性の不織布や織布、液透過孔が形成された合成樹脂フィルム、これらの複合シートなど、任意の液透過性シートが挙げられる。裏面シート１３０は、厚さ方向Ｔにおいて非肌側に位置する液不透過性のシートである。裏面シート１３０としては、例えば液不透過性の不織布や合成樹脂フィルム、不織布と合成樹脂フィルムとの複合シート、ＳＭＳ不織布など、任意の液不透過性シートが挙げられる。吸収体１４０は、表面シート１２０と裏面シート１３０との間に位置する、液吸収性及び液保持性を有する部材である。吸収体１４０は、肌側に位置する上層吸収体１４０ａと、非肌側に位置し、吸収性コア１４４とその吸収性コア１４４を包む被覆シート１４５とを含む下層吸収体１４０ｂとを備える。上層吸収体１４０ａ及び吸収性コア１４４の材料としては、例えばパルプ繊維、合成繊維、高分子吸収体などが挙げられる。被覆シート１４５としては、例えば不織布やティッシュが挙げられる。なお、吸収体１４０が有する層の数は任意であり、本実施の形態では、吸収体１４０は更に上層吸収体１４０ａよりも肌側に位置する上層シート１４０ｃを含む。上層シート１４０ｃとしては、例えば不織布やティッシュが挙げられる。
【００２７】
本実施の形態では、尿取りパッド１００は一対の防漏壁１６０、１６０と、外装シート１７０と、を更に備える。一対の防漏壁１６０、１６０は、表面シート１２０の幅方向Ｗの両側に位置し、長手方向Ｌに延在する液不透過性のシートである（図２で図示省略）。防漏壁１６０の幅方向Ｗの外側の端縁部は、表面シート１２０に固定された固定端であり、内側の端縁部は自由端である。防漏壁１６０の自由端には、長手方向Ｌに延在する弾性部材（図示されず）が設けられ、一対の防漏壁１６０、１６０は着用時に肌側に立ち上がる。外装シート１７０は、裏面シート１３０の非肌側に位置する液不透過性のシートである（図１、図２で図示省略）。防漏壁１６０や外装シート１７０の材料に特に制限はなく、例えば裏面シート１３０の材料が挙げられる。
【００２８】
吸収体１４０の肌側の表面、すなわち上層シート１４０ｃの肌側の面と表面シート１２０とは互いに所定パターンの接着剤（図示されず）により接合され、吸収体１４０の非肌側の表面、すなわち下層吸収体１４０ｂの非肌側の面と裏面シート１３０とは互いに所定パターンの接着剤（図示されず）により接合される。また、表面シート１２０と裏面シート１３０とはそれらの周縁部分にて互いに所定パターンの接着剤（図示されず）により接合される。また、一対の防漏壁１６０、１６０と表面シート１２０とは互いに所定パターンの接着剤（図示されず）によりに接合され、外装シート１７０と裏面シート１３０とは互いに所定パターンの接着剤（図示されず）によりに接合される。外装シート１７０と一対の防漏壁１６０、１６０とはそれらの周縁部分にて互いに所定パターンの接着剤（図示されず）により接合される。接着剤の坪量（ｇ／ｍ２）は、資材や性能等を考慮して適宜調整される。坪量は例えば０．５〜５０ｇ／ｍ2、好ましくは１〜２０ｇ／ｍ2である。接着剤の坪量は、尿取りパッド１００における所定面積の資材（表面シート１２０、裏面シート１３０、吸収体１４０など）に塗布される接着剤の塗布量（質量）を、その所定面積で除算して算出する。
【００２９】
上層吸収体１４０ａ及び下層吸収体１４０ｂの厚さ、坪量等は吸収体１４０の吸液性等を考慮して適宜調整される。上層吸収体１４０ａの厚さは通常１．５〜５．０ｍｍ、好ましくは２．５〜３．５ｍｍであり、坪量は通常１５０〜４００ｇ／ｍ2、好ましくは２００〜３００ｇ／ｍ2である。下層吸収体１４０ｂの厚さは通常１．５〜５．０ｍｍ、好ましくは２．５〜３．５ｍｍであり、坪量は通常１５０〜４００ｇ／ｍ2、好ましくは２００〜３００ｇ／ｍ2である。吸収体の厚さの測定は、尿取りパッドから切り出した１００ｍｍ×１００ｍｍの吸収体サンプルと、市販の厚さ測定器（例えば、ＰＥＡＣＯＣＫ社製ＪＡ２５７，測定面５０ｍｍ（直径），測定圧３ｇ／ｃｍ2）とを使用して、次の様に実施される。厚さ測定器により、吸収体サンプルの異なる５つの部位を定圧３ｇ／ｃｍ2で加圧し、各部位における加圧１０秒後の厚みを測定し、５つの測定値の平均値を厚み（ｍｍ）とする。吸収体の坪量の測定は、例えば次の通りである。吸収体から切り出された３個の試験片（１０ｍｍ×１０ｍｍ）の質量を直示天秤（例えば、研精工業株式会社製  電子天秤ＨＦ−３００）で測定し、３個の試験片の質量の平均値から算出された吸収体の単位面積当たりの質量（ｇ／ｍ2）を、吸収体の坪量とする。
【００３０】
上層吸収体１４０ａ及び下層吸収体１４０ｂは、吸収性能の観点から、高分子吸収体及びパルプ繊維を含んでいることが好ましい。その場合、高分子吸収体とパルプ繊維とを合わせた坪量（本実施の形態では吸収体の坪量）に対する高分子吸収体の坪量の割合、すなわち高分子吸収体の含有率は、上層吸収体１４０ａの方が下層吸収体１４０ｂの方よりも大きいことが好ましい。言い換えると、高分子吸収体とパルプ繊維とを合わせた坪量に対するパルプ繊維の坪量の割合、すなわちパルプ繊維の含有率は、下層吸収体１４０ｂの方が上層吸収体１４０ａの方よりも大きいことが好ましい。本尿取りパッド１００では、下層吸収体１４０ｂの方が上層吸収体１４０ａの方よりもパルプ繊維の割合が高くなっているため、尿をより下層吸収体１４０ｂの内部へ引き込むことができる。それによ、吸収体１４０をその容量のより限界近くまで使用できる。高分子吸収体の坪量は、所定面積の吸収体に配合される高分子吸収体の配合量（質量）を、その所定面積で除算して算出する。パルプ繊維の坪量は、吸収体の坪量から高分子吸収体の坪量を減算して算出する。
【００３１】
上層吸収体１４０ａは、平面視で、長手方向Ｌに長く、股間部１１２における長手方向Ｌの略中央がくびれた略瓢箪形の形状を有する。下層吸収体１４０ｂは平面視で長手方向Ｌに長く、幅方向Ｗが短い略矩形状を有する。ただし、下層吸収体１４０ｂにおいて、長手方向Ｌの寸法は上層吸収体１４０ａの長手方向Ｌの寸法よりも短く、幅方向Ｗの寸法は上層吸収体１４０ａの幅方向Ｗの寸法よりも短い。したがって、上層吸収体１４０ａの長手方向Ｌの両端縁は下層吸収体１４０ｂの長手方向Ｌの両端縁よりも長手方向Ｌの外側に位置しており、よって上層吸収体１４０ａは下層吸収体１４０ｂよりも長手方向Ｌの両側に広く形成されている。また、上層吸収体１４０ａの幅方向Ｗの両端縁は、下層吸収体１４０ｂの幅方向Ｗの両端縁よりも長手方向Ｌの外側に位置しており、よって上層吸収体１４０ａは下層吸収体１４０ｂよりも幅方向Ｗの両側に広く形成されている。また、上層シート１４０ｃは平面視で長手方向Ｌが長く、幅方向Ｗの寸法が短い略矩形状である。ただし、上層シート１４０ｃの長手方向Ｌの寸法は上層吸収体１４０ａの長手方向Ｌの寸法と同じで、幅方向Ｗの寸法は上層吸収体１４０ａの幅方向Ｗの股間部１１２の寸法よりも長く、腹側部１１１及び背側部１１３の寸法よりも短い略矩形状である。なお、吸収体１４０の各構成の平面視の形状は任意である。
【００３２】
図３及び図４に示すように、下層吸収体１４０ｂでは、吸収性コア１４４は、非肌側面１４４ｓｃ、肌側面１４４ｓａ、及び、非肌側面１４４ｓｃと肌側面１４４ｓａとの間の幅方向Ｗの両側面１４４ｓｂ、１４４ｓｂを有する。また、被覆シート１４５（コアラップ）は、吸収性コア１４４を包み込んだとき非肌側面１４４ｓｃに対向する非肌側部分１４５ｓｃ、両側面１４４ｓｂ、１４４ｓｂに対向する両側部分１４５ｓｂ、１４５ｓｂ、及び、肌側面１４４ｓａに対向する部分であって、幅方向Ｗの両端部１４５ｅ１、１４５ｅ２を含む二つの肌側部分１４５ｓａ１、１４５ｓａ２を有する。そして、被覆シート１４５は、吸収性コア１４４の非肌側面１４４ｓｃを非肌側部分１４５ｓｃで覆い、吸収性コア１４４の幅方向Ｗの両側面１４４ｓｂ、１４４ｓｂを両側部分１４５ｓｂ、１４５ｓｂで覆い、及び、吸収性コア１４４の肌側面１４４ｓａを二つの肌側部分１４５ｓａ１、１４５ｓａ２を重ね合わせて覆うことで、吸収性コア１４４を包み込んでいる。
【００３３】
吸収体１４０において、上層シート１４０ｃの非肌側の面と上層吸収体１４０ａの肌面側の面とは互いに所定パターンの接着剤（図示されず）により接合される。また、被覆シート１４５の非肌側部分１４５ｓｃと吸収性コア１４４の非肌側面１４４ｓｃとは互いに所定パターンの接着剤（図示されず）により接合される。接着剤の坪量（ｇ／ｍ２）は、尿取りパッド１００の資材や性能等を考慮して適宜調整される。坪量は、通常０．５〜５０ｇ／ｍ2、好ましくは１〜２０ｇ／ｍ2である。
【００３４】
一方、吸収性コア１４４の肌側面１４４ｓａは被覆シート１４５と非接合である。すなわち、吸収性コア１４４の肌側面１４４ｓａ（好ましくは両側面１４４ｓｂ、１４４ｓｂ）と被覆シート１４５の肌側部分１４５ｓａ１、１４５ｓａ２（好ましくは両側部分１４５ｓｂ、１４５ｓｂ）とは非接合であり、よって接着剤等により接合されておらず、更に、被覆シート１４５の肌側部分１４５ｓａ１、１４５ｓａ２における両端部１４５ｅ１、１４５ｅ２同士は非接合であり、よって接着剤等により接合されていない。
【００３５】
吸収性コア１４４の肌側面１４４ｓａが被覆シート１４５と非接合の場合の作用について説明する。図５は吸収体１４０の作用を模式的に説明する図である。図５（ａ）に示すように、尿取りパッド１００の使用前には、吸収性コア１４４は、例えば幅方向Ｗの寸法Ｗ１、厚さ方向Ｔの寸法Ｔ１を有する。その後、尿取りパッド１００が使用されて、吸収性コア１４４での尿の吸収量が増加すると、吸収性コア１４４が膨潤して、幅方向Ｗ及び厚さ方向Ｔに寸法が増加する。仮に、吸収性コア１４４の肌側面１４４ｓａ上に位置する被覆シート１４５の肌側部分１４５ｓａ１、１４５ｓａ２が接着剤等で吸収性コア１４４に拘束されていると、被覆シート１４５の内側の領域の容積に上限ができる。その場合、吸収性コア１４４がその容積を超えて大きくなれず、尿の吸収が制限されてしまう。
【００３６】
しかし、本実施の形態では、吸収性コア１４４の肌側面１４４ｓａ上に位置する被覆シート１４５の肌側部分１４５ｓａ１、１４５ｓａ２や両側部分１４５ｓｂ、１４５ｓｂが接着剤等で吸収性コア１４４に拘束されていない。それゆえ被覆シート１４５の肌側部分１４５ｓａ１、１４５ｓａ２や両側部分１４５ｓｂ、１４５ｓｂは幅方向Ｗや厚み方向Ｔに容易に移動・変形ができ、被覆シート１４５の内側の領域の容積を増加させることができる。したがって下層吸収体１４０ｂでの尿の吸収量が多くなり、下層吸収体１４０ｂの吸収性コア１４４が膨潤して幅方向Ｗや厚さ方向Ｔに拡がっても、それに対応・追随して被覆シート１４５の肌側部分１４５ｓａ１、１４５ｓａ２や両側部分１４５ｓｂ、１４５ｓｂも幅方向Ｗや厚さ方向Ｔに移動・変形できる。すなわち、被覆シート１４５が吸収性コア１４４の膨潤を妨げることを抑制できる。その結果、下層吸収体１４０ｂが尿の吸収量の制限を受けずに、吸収体１４０をその容量の限界まで使用することができる。例えば、図５（ｂ）に示すように、吸収性コア１４４は、幅方向Ｗの寸法がＷ１より十分に大きいＷ２となり、厚さ方向Ｔの寸法がＴ１より十分に大きいＴ２となることができる。
【００３７】
ただし、このとき、尿の吸収量が増加するにしたがって、下層吸収体１４０ｂの吸収性コア１４４が膨潤してゆき、図５（ｂ）に示すように、いずれ吸収性コア１４４の肌側面１４４ｓａの一部が被覆シート１４５に覆われなくなる場合が起こる。そうなると、一見、被覆シート１４５に被覆されなくなった吸収性コア１４４が崩れるとも考え得る。しかし、本実施の形態では、吸収性コア１４４の肌側には上層吸収体１４０ａが位置しているので、被覆シート１４５で覆われなくなった吸収性コア１４４の肌側面１４４ｓａを上層吸収体１４０ａで覆うことで、吸収体１４０が崩れる事態を防止できる。この場合、被覆シート１４５と上層吸収体１４０ａとは、被覆シート１４５の動きをあまり妨げない程度に接合していてもよい。
【００３８】
本実施の形態では、更に、被覆シート１４５と上層吸収体１４０ａとは非接合である。すなわち、被覆シート１４５の肌側部分１４５ｓａ、１４５ｓａと上層吸収体１４０ａの非肌側の面とは非接合であり、よって接着剤等により接合されていない。したがって、被覆シート１４５は、上層吸収体１４０ａによりその移動・変形がほとんど制限されない。それにより、下層吸収体１４０ｂの吸収性コア１４４が膨潤して幅方向Ｗの外側に拡がっても、被覆シート１４５の肌側部分１４５ｓａ、１４５ｓａも上層吸収体１４０ａに妨げられることなくより容易に幅方向Ｗの外側に移動でき、よって被覆シート１４５の内側の領域の容積をより大きくすることができる。すなわち、被覆シート１４５が吸収性コア１４４の膨潤を妨げることをより的確に抑制できる。
【００３９】
本実施の形態では、上述のように上層吸収体１４０ａは下層吸収体１４０ｂよりも幅方向Ｗの両側に広く形成されている。このとき、上層吸収体１４０ａにおける下層吸収体１４０ｂよりも幅方向Ｗに広い部分は非肌側において裏面シート１３０と接着剤で接合している。この場合、幅方向Ｗにおいて下層吸収体１４０ｂは尿を吸収して膨潤し、その両端縁がその広い部分と裏面シート１３０との接合部分まで達すると、幅方向Ｗにはそれ以上膨潤できなくなる。そのため、下層吸収体１４０ｂの略中央部分が上層吸収体１４０ａの側、すなわち肌側へ盛り上がることで、下層吸収体１４０ｂの幅方向Ｗへの変形が吸収される。下層吸収体１４０ｂが肌側に凸となる変形により、着用者の排泄口が当接する領域、すなわち排尿領域に吸収体１４０がより近づく形態となり、排泄された尿の大部分を排尿領域の少なくとも上層溝部１４１ａ（後述）から下層吸収体１４０ｂの内部へ移動させ吸収させ易くできる。特に、本実施の形態では、吸収体１４０での尿の吸収量が多くなり（下層吸収体１４０ｂの膨潤が進み）、吸収速度が低下してくるときに、排尿領域が吸収体１４０に近づいて尿の吸収を促進できて好ましい。これらにより、吸収体１４０が崩れることを防止しつつ、吸収体１４０をその容量の限界のより近くまで使用できる。
【００４０】
本実施の形態では、更に、上述のように上層吸収体１４０ａは下層吸収体１４０ｂより長手方向Ｌの両側に広く形成されている。このとき、上層吸収体１４０ａにおける下層吸収体１４０ｂよりも長手方向Ｌに広い部分は非肌側において裏面シートと接着剤で接合している。この場合も、上層吸収体１４０ａが下層吸収体１４０ｂより幅方向Ｗの両側に広く形成されている場合と同様に、下層吸収体１４０ｂが肌側に凸となる変形を補助すると共に、排泄された尿の大部分を上層溝部１４１ａ（後述）から下層吸収体１４０ｂの内部へ移動させ吸収させ易くできる。
【００４１】
本実施の形態では、長手方向Ｌにおいて、図１に示す尿取りパッド１００の両端部Ｅ１、Ｅ２での表面シート１２０と裏面シート１３０との間の接着剤の坪量は、尿取りパッド１００の両端部Ｅ１、Ｅ２以外での表面シート１２０と裏面シート１３０との間の接着剤の坪量よりも大きくしている。ここで、両端部Ｅ１、Ｅ２は、長手方向Ｌにおいて、尿取りパッド１００の両端縁から内側に所定長さ分の領域であり、その領域の内側に吸収体１４０の両端の一部を含む領域である。例えば、尿取りパッド１００の両端縁から尿取りパッド１００の長さの２０％程度の範囲である。吸収性コア１４４が尿を吸収して膨潤が進むと、吸収体１４０の膨らむ力が強くなり過ぎて長手方向Ｌの両端部Ｅ１、Ｅ２に厚み方向Ｔに隙間が生じて、長手方向Ｌの両端部Ｅ１、Ｅ２付近から吸収性コア１４４が崩れることが考え得る。しかし、本尿取りパッド１００では、その尿取りパッド１００の両端部Ｅ１、Ｅ２において接着剤が多く塗布されているので、その両端部Ｅ１、Ｅ２に隙間が生じて両端部Ｅ１、Ｅ２から吸収体１４０が崩れる事態を防止できる。それにより、吸収体１４０が崩れることを防止しつつ、吸収体１４０をその容量の限界近くまで使用することができる。
【００４２】
本実施の形態において、幅方向Ｗにおいて、尿取りパッド１００における平面視で吸収体１４０の存在しない吸収体非存在領域での表面シート１２０と裏面シート１３０との間の接着剤の坪量は、尿取りパッド１００における平面視で吸収体１４０の存在する吸収体存在領域での表面シート１２０と裏面シート１３０との間の接着剤の坪量よりも大きくしていてもよい。吸収性コアが尿を吸収して膨潤が進むと、吸収体の膨らむ力が強くなり過ぎて幅方向Ｗの両端部にも隙間が生じ、幅方向Ｗの両端部から吸収性コア１４４が崩れることが考え得る。しかし、尿取りパッド１００において、尿取りパッドの幅方向Ｗの両端部にて接着剤が多く塗布されている場合、そのような幅方向Ｗの両端部から吸収体が崩れる事態を防止できる。それにより、吸収体１４０が崩れることを防止しつつ、吸収体１４０をその容量の限界近くまで使用することができる。
【００４３】
吸収体１４０では、図２及び図３に示すように、上層吸収体１４０ａは肌側から非肌側に向かって厚さ方向Ｔに窪んだ上層溝部１４１ａを有する。上層溝部１４１ａは、本実施の形態では上層吸収体１４０ａを厚さ方向Ｔに貫通する貫通孔である。上層溝部１４１ａは、尿取りパッド１００の股間部１１２に位置すると共に、吸収体１４０の幅方向Ｗの中心を通って長手方向Ｌに延在する。すなわち、上層溝部１４１ａは排尿領域内に形成される。それにより、排泄された尿が表面シート１２０上を拡散する前に、すなわち尿取りパッド１００の肌側表面をほとんど汚さずに、その尿を、上層溝部１４１ａを介して下層吸収体１４０ｂの内部へ引き込むことができ、吸収体１４０をその容量の限界近くまで使用可能にすることできる。特に、本実施の形態では、上層溝部１４１ａが貫通孔であるので、尿をより素早く下層吸収体１４０ｂの内部へ引き込むことができる。
【００４４】
本実施の形態では、上層溝部１４１ａが貫通孔であり、更に下層吸収体１４０ｂは肌側から非肌側に向かって厚さ方向Ｔに窪んだ下層溝部１４１ｂを有する。下層溝部１４１ｂは、本実施の形態では下層吸収体１４０ｂを厚さ方向Ｔに貫通する貫通孔である。下層溝部１４１ｂは、尿取りパッド１００の股間部１１２に位置すると共に、吸収体１４０の幅方向Ｗの中心を通って長手方向Ｌに延在する。すなわち、下層溝部１４１ｂは、排尿領域内に形成される。また、上層溝部１４１ａ及び下層溝部１４１ｂは、平面視で少なくとも一部が重なるように形成される。それにより、排泄された尿が上層吸収体１４０ａの上層溝部１４１ａを介して下層吸収体１４０ｂに達したとき、その尿を、下層溝部１４１ｂを介して下層吸収体１４０ｂの更に内部へ引き込むことができ、吸収体１４０をその容量の限界近くまで使用可能にできる。特に、本実施の形態では、下層溝部１４１ｂが貫通孔であるため、尿をより素早く下層吸収体１４０ｂのより内部へ引き込むことができる。
【００４５】
本実施の形態では、上層溝部１４１ａ及び下層溝部１４１ｂとしての両貫通孔の位置が、平面視で互いに一致するように（すなわち両貫通孔が互いに通じるように）形成される。その結果、吸収体１４０には、上層溝部１４１ａ及び下層溝部１４１ｂが厚さ方向Ｔに重なる溝部１４１が形成される。それにより、排泄された尿が上層吸収体１４０ａの上層溝部１４１ａを介して下層吸収体１４０ｂに達したとき、その尿をより確実に下層溝部１４１ｂへ導入でき、下層吸収体１４０ｂの更に内部へ引き込むことができる。尿を下層により引きこみ、下層吸収体１４０ｂで尿を吸わせることで上層吸収体１４０ａへの液戻りを防いで、さらっと感を維持する、すなわちリウェットバックを減らすことができる。
【００４６】
上層溝部１４１ａ及び下層溝部１４１ｂの平面視での長手方向Ｌの寸法（長さ）及び幅方向Ｗの寸法（幅）等は、上層吸収体１４０ａ及び下層吸収体１４０ｂのサイズ等を考慮して適宜調整される。上層溝部１４１ａの幅は、通常５．０〜５０ｍｍ、好ましくは１０〜２０ｍｍである。下層溝部１４１ｂの幅は、上層溝部１４１ａの幅と等しいか又はそれよりも狭く、通常５．０〜４０ｍｍ、好ましくは１０〜１５ｍｍである。上層溝部１４１ａの長さは、通常５０〜３００ｍｍ、好ましくは５０〜２００ｍｍ、さらに好ましくは５０〜１５０ｍｍである。下層溝部１４１ｂの長さは、上層溝部１４１ａの長さと等しいか又はそれよりも短く、通常３０〜２５０ｍｍ、好ましくは３０〜１５０ｍｍである。上層溝部１４１ａの幅及び長さが、下層溝部１４１ｂの幅及び長さと等しいか又はそれよりも大きいことにより、上層吸収体１４０ａ及び下層吸収体１４０ｂを積層する工程で多少のずれが生じたとしても、吸収体１４０の表面シート１２０側表面からみた溝部１４１の大きさがほぼ一定に保たれる。また、溝部１４１の内壁面に段差が生じ、溝部１４１の内表面積が大きくなるので、溝部１４１が形成された部分における吸収体１４０の尿吸収能が向上する。
【００４７】
一般に吸収体がヨレてしまうのを防ぐため、吸収体を被覆シートにて被覆後では、熱融着したり、圧搾したりする手段がとられることがある。しかし、それらを行ってしまうと、吸収体の容積が減ってしまったり、尿を吸収して吸収体が膨潤してきたときに意図しない変形が発生して、尿が漏れてしまったりするおそれがある。そこで、本実施の形態では、そのような事態を防止するため、これら手段を実質的に施さないことが好ましい。
【００４８】
図６及び図７は、吸収体１４０の溝部１４１及びその周辺部分について、長手方向Ｌに沿い幅方向Ｗに垂直な断面図及び幅方向Ｗに沿い長手方向Ｌに垂直な断面図をそれぞれ模式的に示している。これらの図において、上層シート１４０ｃの記載を省略し、吸収性コア１４４及び被覆シート１４５を一体的に下層吸収体１４０ｂとして記載している。ここで、上層溝部１４１ａは、長手方向Ｌに沿い幅方向Ｗに対面配置された壁面ＳＷＵ１、ＳＷＵ２と、幅方向Ｗに沿い長手方向Ｌに対面配置された前側（腹側）の壁面ＦＷＵ及び後側（背側）の壁面ＢＷＵと、を備える。また、下層溝部１４１ｂは、長手方向Ｌに沿い幅方向Ｗに対面配置された壁面ＳＷＬ１、ＳＷＬ２と、幅方向Ｗに沿い長手方向Ｌに対面配置された前側（腹側）の壁面ＦＷＬ及び後側（背側）の壁面ＢＷＵと、を備える。ただし、図６において、長手方向Ｌの左側が前側（腹側）であり、右側が後側（背側）である。また、上層溝部１４１ａの底面ＢＵは、上層溝部１４１ａが貫通孔の場合には、上層吸収体１４０ａの非肌側の面を貫通孔に仮想的に延長させた平面とする。同様に、下層溝部１４１ｂの底面ＢＬは、下層溝部１４１ｂが貫通孔の場合には、下層吸収体１４０ｂの非肌側の面を貫通孔に仮想的に延長させた平面とする。したがって、底面ＢＵ、ＢＬは互いに平行である。
【００４９】
図１及び図６から分るように、下層溝部１４１ｂの腹側方向の端部である下層腹側端部ＬＬ１と尿取りパッド１００の腹側方向の端部との距離は、下層溝部１４１ｂの背側方向の端部である下層背側端部ＬＬ２と尿取りパッド１００の背側方向の端部との距離よりも短い。そこで本実施の形態では、図６に示すように、下層腹側端部ＬＬ１の壁面ＦＷＬが下層溝部１４１ｂ内の底面ＢＬに対して成す角β１が、下層背側端部ＬＬ２の壁面ＢＷＬが下層溝部１４１ｂ内の底面ＢＬに対して成す角β２よりも底面ＢＬに対して垂直に近く、すなわちより急峻にしている。ここで、下層腹側端部ＬＬ１から漏れ出た尿は、上層溝部１４１ａを介して尿取りパッド１００の腹側方向の端部に相対的に到着し易い。しかし、上記構成を有することで、下層腹側端部ＬＬ１から上層溝部１４１ａを介して尿取りパッド１００の腹側方向の端部へ向かって尿を漏れ難くすることができる。それにより、尿をより下層吸収体１４０ｂの内部へ引き込むことができる。その結果、尿を漏らすことなく、吸収体１４０をその容量の限界のより近くまで使用できる。
【００５０】
図１及び図６から分るように、上層溝部１４１ａの腹側方向の端部である上層腹側端部ＬＵ１と尿取りパッド１００の腹側方向の端部との距離は、上層溝部１４１ａの背側方向の端部である上層背側端部ＬＵ２と尿取りパッド１００の背側方向の端部との距離よりも短い。そこで本実施の形態では図６に示すように、上層腹側端部ＬＵ１の壁面ＦＷＵが上層溝部１４１ａ内の底面ＢＬに対して成す角α１が、上層背側端部ＬＵ２の壁面ＢＷＵが上層溝部１４１ａ内の底面ＢＬに対して成す角α２よりも底面ＢＵに対して垂直に近く、より急峻にしている。ここで、上層腹側端部ＬＵ１から漏れ出た尿は、尿取りパッド１００の腹側方向の端部に相対的に到着し易い。しかし、上記構成を有することで、上層腹側端部ＬＵ１から尿取りパッド１００の腹側方向の端部へ向かって尿を漏れ難くすることができる。それにより、尿をより下層吸収体１４０ｂの内部へ引き込むことができる。その結果、尿を漏らすことなく、吸収体１４０をその容量の限界のより近くまで使用できる。
【００５１】
本実施の形態では、図６及び図７に示すように、下層溝部１４１ｂの壁面ＦＷＬ、ＢＷＬ、ＳＬ１、ＳＬ２が下層溝部１４１ｂ内の底面ＢＬに対して成す角β１、β２、β３、β４は、上層溝部１４１ａの壁面ＦＷＵ、ＢＷＵ、ＳＵ１、ＳＵ２が上層溝部１４１ａ内の底面ＢＵに対して成す角α１、α２、α３、α４よりも底面ＢＵ、ＢＬに対して垂直に近く、より急峻にしている。言い換えると、上層溝部１４１ａの壁面ＦＷＵ、ＢＷＵ、ＳＵ１、ＳＵ２を下層溝部１４１ｂの壁面ＦＷＬ、ＢＷＬ、ＳＬ１、ＳＬ２よりも溝部１４１内の底面ＢＬ、ＢＵに対してより緩やかにしている。したがって、上記構成を有すると、上層溝部１４１ａの壁面ＦＷＵ、ＢＷＵ、ＳＵ１、ＳＵ２が緩やかなので、上層溝部１４１ａを介して尿を下層溝部１４１ｂへより引き込み易くなり、かつ、下層溝部１４１ｂの壁面ＦＷＬ、ＢＷＬ、ＳＬ１、ＳＬ２が急峻なので一度引き込んだ尿を外部へ漏れ難くすることができる。それにより、尿を下層により引きこみ、下層吸収体１４０ｂで尿を吸わせることで上層吸収体１４０ａへの液戻りを防いで、さらっと感を維持し(リウェットバックを減らし)、かつ、尿を漏らすことなく、吸収体１４０をその容量の限界のより近くまで使用できる。
【００５２】
図１、図６及び図７から分るように、上層溝部１４１ａの幅方向Ｗの一方の上層幅方向端部ＷＵ１と尿取りパッド１００の幅方向Ｗの一方の端部との距離、及び、上層溝部１４１ａの幅方向Ｗの他方の上層幅方向端部ＷＵ２と、尿取りパッド１００の幅方向Ｗの他方の端部との距離は、上層溝部１４１ａの腹側方向の上層腹側端部ＬＵ１と尿取りパッド１００の腹側方向の端部との距離、及び、上層溝部１４１ａの背側方向の上層背側端部ＬＵ２と尿取りパッド１００の背側方向の端部との距離よりも短い。本実施の形態では、図６及び図７に示すように、一方及び他方の上層幅方向端部ＷＵ１、ＷＵ２の壁面ＳＵ１、ＳＵ２が上層溝部１４１ａ内の底面ＢＵに対して成す角α３、α４は、上層腹側端部ＬＵ１の壁面ＦＷＵが上層溝部１４１ａ内の底面ＢＵに対して成す角α１、及び、上層背側端部ＬＵ２の壁面ＢＷＵが上層溝部１４１ａ内の底面ＢＵに対して成す角α２よりも底面ＢＵに対して垂直に近く、急峻にしている。上記構成により、上層幅方向端部ＷＵ１、ＷＵ２から尿取りパッドの端部へ向かって尿を漏れ難くすることができる。それにより、尿をより下層吸収体１４０ｂの内部へ引き込むことができる。その結果、リウェットバックを減らし、尿を漏らすことなく、吸収体１４０をその容量の限界のより近くまで使用できる。
【００５３】
ただし、上記の各角度α１〜α４、β１〜β４の測定方法は以下の様に行う。（株）ビームセンス製のＸ線透視装置ＦＬＥＸ−Ｍ８６３を用いた。溝部を中心としてサンプルを２０×４０ｍｍに切り取り、切片サンプルを０．２度ずつ回転させて３６０度スキャンを行う。その後、撮影した１８００枚の画像をつなぎ合わせて３Ｄ画像を作成する。そして、３Ｄ画像から長手方向Ｌの断面図及び幅方向Ｗの断面図を抽出し、当該図から各角度α１〜α４、β１〜β４を測定した。ただし、底面ＢＵは、上層溝部１４１ａが貫通孔の場合には、上層吸収体１４０ａの非肌側の面を貫通孔に仮想的に延長させた平面とし、底面ＢＬは、下層溝部１４１ｂが貫通孔の場合には、下層吸収体１４０ｂの非肌側の面を貫通孔に仮想的に延長させた平面とする。したがって、底面ＢＵ、ＢＬは互いに平行である。
【００５４】
本実施の形態では、吸収性コア１４４の下層溝部１４１ｂは厚さ方向Ｔに貫通している。この場合、吸収性コア１４４における下層溝部１４１ｂの非肌側の端縁を囲む領域（下層溝部１４１ｂの貫通孔を囲む環状の領域、少なくとも平面視で上層溝部１４１ａの範囲）は、被覆シート１４５と接合する。そのような構成により、吸収性コア１４４における下層溝部１４１ｂの非肌側の端縁を囲む非肌側面１４４ｓｃ上の領域が、被覆シート１４５の非肌側部分１４５ｓｃ上に接着剤で接合されているので、下層溝部１４１ｂの非肌側の端縁の位置が被覆シート１４５上に固定される。それにより、着用者の動きや尿の流通によらず、下層溝部１４１ｂの形状を維持できる。それにより尿を下層吸収体に引き込む性能を維持することができ、吸収体１４０をその容量の限界のより近くまで使用できる。
【００５５】
本実施の形態では、表面シート１２０は、肌側の表面に凸部を形成された不織布で形成される。図８は表面シート１２０（不織布）の部分斜視図である。表面シート１２０は、肌側表面１２１に、畝部１２２（凸部の一例）が形成されている。畝部１２２は、長手方向Ｌに延在し、幅方向Ｗに所定間隔で並んでおり、隣り合う２つの畝部１２２の間には１つの溝部１２３が形成されている。このような表面シート１２０は、排泄された尿が畝部１２２及び溝部１２３に沿って長手方向Ｌに広がりやすく、幅方向Ｗへの尿の広がり及びこれに起因する尿取りパッド１００からの尿の漏れを防止でき、好ましい。なお、図１において、１つの畝部１２２は、隣り合う２本の線の間の領域として示されており、１つの溝部１２３は１本の線によって示されている。また、図の簡略化のため、図１では、肌側表面１２１に形成された畝溝構造１２４の一部が省略され、図２〜図４では畝溝構造１２４は省略されている。
【００５６】
また、表面シート１２０のうち畝部１２２（凸部）における厚さ方向Ｔの配向繊維の含有率は、表面シート１２０のうち凸部以外の部分における厚さ方向Ｔの配向繊維の含有率よりも大きく、表面シート１２０の湿潤時厚みが、表面シート１２０の乾燥時厚みの８５％以上であることが好ましい。表面シート１２０が肌側表面１２１を有する第１の繊維層と、第１の繊維層よりも吸収体側に位置する第２の繊維層とを有し、第１の繊維層が、耐久親水性を有する繊維で構成され、第２の繊維層が耐久親水性を有する繊維と、非耐久親水性を有する繊維層とで構成されていることがより好ましい。
【００５７】
畝部１２２の厚さｔ１は例えば０．３〜１．５ｍｍであり、幅ｗ１は例えば２．０〜５．０ｍｍである。一方、溝部１２３の厚さｔ２は例えば０．１〜０．５ｍｍであり、幅ｗ２は例えば１．０〜３．０ｍｍである。畝部の厚さの測定は、レーザー変位計（例えば、キーエンス株式会社製：高精度２次元レーザー変位計ＬＪ−Ｇシリーズ（型式：ＬＪ−Ｇ０３０））を用い、尿取りパッドから切り出した１００ｍｍ×１００ｍｍの表面シート試料を水平の測定台の上に置き、異なる５つの畝部について、測定台からの変位をレーザー変位計で測定し、５つの測定値の平均値を畝部の厚み（ｍｍ）とする。同様に、異なる５つの溝部について、測定台からの変位をレーザー変位計で計測し、５つの測定値の平均値を溝部の厚み（ｍｍ）とする。畝部の幅の測定は、無加圧状態における表面シート試料の平面写真又は平面画像に基づいて、畝部と、その両側に位置する２つの溝部との境界線間の距離として計測される。溝部の幅も同様である。
【００５８】
表面シート１２０が上記のような所定の特性を有し、肌側表面１２１に畝部１２２（凸部）を有しているので、尿取りパッド１００が多量の尿を吸収しても、表面シート１２０での凸部の形状が維持され、尿の固形成分による表面シート１２０の目詰まりが抑制されて、吸収体１４０をその容量の限界の更により近くまで使用できる。
【００５９】
このような不織布の製造方法としては、例えば、特許第５６８３７４２号公報に記載された方法を用いることができる。この方法によれば、図９に模式的に示す製造装置において、ウェブＷを通気性支持部材３１０（例示：網状支持部材）に載置し、通気性支持部材３１０を所定方向に移動させながら、噴射部３３０に所定間隔で形成された複数の噴射口３３２から気体ＧをウェブＷの上面に連続的に噴射する。通気性支持部材３１０を通り抜けた気体Ｇは、噴射部３３０の下方に配置された吸気部によって吸引される。ウェブＷの上面のうち、気体Ｇが噴射された領域には、通気性支持部材３１０の移動方向に延在する溝部１２３が形成されるとともに、隣り合う２つの溝部１２３の間に畝部１２２が形成される。それにより、ウェブＷに畝溝構造１２４を形成することができる。
【００６０】
ただし、厚さ方向Ｔの配向繊維とは、厚さ方向Ｔに対して＋４５度〜−４５度の角度範囲で配向している繊維である。表面シート用の不織布の所定部分における厚さ方向配向繊維の含有率の測定方法は、以下の通りである。（１）不織布を切断し、不織布サンプルを作製する。（２）株式会社キーエンス製のデジタルマイクロスコープＶＨＸ−１００を使用して、不織布サンプルの切断面に対して垂直の方向からの拡大画像を撮影する。拡大画像は、５０本以上の繊維の測定が可能となるような倍率に拡大された画像であり、拡大倍率は、例えば２０〜５０倍である。拡大画像の撮影の際、不織布サンプルの切断面の最も手前の繊維（イレギュラーに手前に飛び出した繊維を除く）にピントを合わせ、撮影深度（奥行き）を設定する。拡大画像は、３Ｄ画像としてＰＣ画面上に作成される。（３）３Ｄ画像を２Ｄ画像に変換し、２Ｄ画像上に、不織布サンプルの厚さ方向に平行に延在する複数の線を引き、不織布サンプルの厚さ方向に対して＋４５度〜−４５度の角度で配向する繊維の本数をカウントする。（４）カウントした繊維の本数の、測定範囲内の全繊維の本数に対する割合を計算する。（５）（１）〜（４）を数回（例えば３〜５回）繰り返し、その平均値を厚さ方向配向繊維の含有率とする。
【００６１】
乾燥時厚み及び湿潤時厚みの測定には、事前に状態調節した表面シート用の不織布が使用される。不織布の状態調節は、乾燥状態にある不織布を標準状態（温度２３±２℃，相対湿度５０±５％）において２４時間以上保存することにより実施される。乾燥状態にある不織布は、水分率が通常１２％以下、好ましくは１０％以下である不織布である。乾燥時厚みは以下の様に測定される。厚さ計（例：株式会社大栄科学精器製作所製ＦＳ−６０ＤＳ，測定子面積１５ｃｍ2）を用いて、状態調整後の不織布の異なる３つの部位（厚さ計ＦＳ−６０ＤＳを使用する場合、各部位の面積は１５ｃｍ2）を定圧３ｇ／ｃｍ2で加圧し、各部位における加圧１０秒後の厚さを測定する。１０枚の不織布のそれぞれについて同様の測定を行い、合計３０個の測定値の平均値を不織布の乾燥時厚さとする。一方、湿潤時厚みは以下の様に測定される。状態調整後の不織布から切り出された１０個の試験片（長さ１０ｍｍ×幅１０ｍｍ）を２０℃の蒸留水に１時間浸漬する。次いで、厚さ計（例：株式会社大栄科学精器製作所製ＦＳ−６０ＤＳ，測定子面積１５ｃｍ2）を用いて、各試験片の異なる３つの部位（厚さ計ＦＳ−６０ＤＳを使用する場合、当該部位の面積は１５ｃｍ2）を定圧３ｇ／ｃｍ2で加圧し、各部位における加圧１０秒後の厚さを測定する。合計３０個の測定値の平均値を不織布の湿潤時厚さとする。
【００６２】
この尿取りパッドは、寝たきり人や体の不自由な人など、頻繁におむつを交換し難い人の尿を吸収するのに好適である。この尿取りパッドは、吸収体に許容される容量近くまで尿を吸収することが可能であり、それにより、尿を複数回、例えば３回以上、好ましくは４回以上、より好ましくは５回以上、漏らさずに吸収できる。この尿取りパッドは、量的には、例えば４００ｍＬ以上、好ましくは５００ｍＬ以上、より好ましくは６００ｍＬ以上、漏らさずに吸収できる。例えば、寝たきりの高齢者（６５歳以上の人）の多くは、一晩に約３回以上、計４００ｍＬ以上の尿を排泄する。したがって、尿取りパッドが少なくとも３回、あるいは４００ｍＬの尿を吸収できれば、夜間の尿取りパッドの交換の回数が少なくなる。それにより、高齢者本人は、夜間、安眠を妨害され難くなり、その介護者は、夜間に、吸収性物品の交換をする手間が省略でき、介護、具体的には排泄に係る負担が軽減される。
【００６３】
本発明により、吸収体が崩れる事態を防止しつつ、吸収体に許容される容量近くまで尿を吸収することが可能な尿取りパッドを提供することができる。
【００６４】
本発明の吸収性物品は、上述した各実施形態に制限されることなく、本発明の目的、趣旨を逸脱しない範囲内において、適宜組合せや変更等が可能である。
【符号の説明】
【００６５】
１００    尿取りパッド
１２０    表面シート
１３０    裏面シート
１４０    吸収体
１４０ａ    上層吸収体
１４０ｂ    下層吸収体
１４１ａ    上層溝部
１４４    吸収性コア
１４５    被覆シート
【図１】
2017217112.tif 000003
【図２】
2017217112.tif 000004
【図３】
2017217112.tif 000005
【図４】
2017217112.tif 000006
【図５】
2017217112.tif 000007
【図６】
2017217112.tif 000008
【図７】
2017217112.tif 000009
【図８】
2017217112.tif 000010
【図９】
2017217112.tif 000011
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
液透過性の表面シートと、液不透過性の裏面シートと、前記表面シートと前記裏面シートとの間に位置する吸収体とを備え、長手方向、幅方向及び厚さ方向を有する尿取りパッドであって、
前記吸収体は、肌側に位置する上層吸収体と、非肌側に位置する下層吸収体と、を備え、
前記上層吸収体は、排尿領域に、前記長手方向に延設され、前記表面シート側の面から前記厚さ方向に前記上層吸収体の内部に延びる上層溝部を有し、
前記下層吸収体は、吸収性コアと、前記吸収性コアを包む被覆シートと、を含み、
前記被覆シートは、前記吸収性コアの非肌側の面及び前記幅方向の両側面を覆い、かつ前記被覆シートの前記幅方向の両端縁同士が前記吸収性コアの肌側で重なり合った状態で前記吸収性コアの肌側の面を覆うように、前記吸収性コアを包み込んでおり、
前記吸収性コアの肌側の面は前記被覆シートと非接合であり、
前記長手方向の一方は腹側方向であり、他方は背側方向であり、
前記上層溝部の前記幅方向の一方の上層幅方向端部と、前記尿取りパッドの前記幅方向の一方の端部との距離、及び、前記上層溝部の前記幅方向の他方の上層幅方向端部と、前記尿取りパッドの前記幅方向の他方の端部との距離は、前記上層溝部の前記腹側方向の上層腹側端部と前記尿取りパッドの前記腹側方向の端部との距離、及び、前記上層溝部の前記背側方向の上層背側端部と前記尿取りパッドの前記背側方向の端部との距離よりも短く、
前記一方及び他方の上層幅方向端部の壁面が前記上層溝部内の底面に対して成す角は、前記上層腹側端部の壁面が前記上層溝部内の底面に対して成す角、及び、前記上層背側端部の壁面が前記上層溝部内の底面に対して成す角よりも垂直に近い、
尿取りパッド。
【請求項２】
前記上層吸収体の非肌側の面と、前記被覆シートの肌側の面とは非接合である、
請求項１に記載の尿取りパッド。
【請求項３】
前記上層吸収体は、前記下層吸収体よりも前記幅方向に広く、
前記下層吸収体よりも広い部分は前記裏面シートと接合している
請求項１又は２に記載の尿取りパッド。
【請求項４】
前記長手方向において、前記尿取りパッドの両端部での前記表面シートと前記裏面シートとの間の接着剤の坪量は、前記尿取りパッドの前記両端部以外での前記表面シートと前記裏面シートとの間の接着剤の坪量よりも大きい、
請求項１乃至３のいずれか一項に記載の尿取りパッド。
【請求項５】
前記上層吸収体の上層溝部は前記厚さ方向に貫通しており、
前記下層吸収体の前記吸収性コアは、前記排尿領域に、前記長手方向に延設され、前記厚さ方向に窪んだ下層溝部を有し、
前記下層溝部は、前記上層溝部の少なくとも一部と前記厚さ方向に重なる、
請求項１乃至４のいずれか一項に記載の尿取りパッド。
【請求項６】
前記吸収性コアの前記下層溝部は前記厚さ方向に貫通しており、
前記吸収性コアにおける前記下層溝部の非肌側の端縁を囲む領域は、前記被覆シートと接合されている、
請求項５に記載の尿取りパッド。
【請求項７】
前記長手方向の一方は腹側方向であり、他方は背側方向であり、
前記下層溝部の前記腹側方向の下層腹側端部と前記尿取りパッドの前記腹側方向の端部との距離は、前記下層溝部の前記背側方向の下層背側端部と前記尿取りパッドの前記背側方向の端部との距離よりも短く、
前記下層腹側端部の壁面が前記下層溝部内の底面に対して成す角は、前記下層背側端部の壁面が前記下層溝部内の底面に対して成す角よりも垂直に近い、
請求項５又は６に記載の尿取りパッド。
【請求項８】
前記下層溝部の壁面が前記下層溝部内の底面に対して成す角は、前記上層溝部の壁面が前記上層溝部内の底面に対して成す角よりも垂直に近い、
請求項５乃至７のいずれか一項に記載の尿取りパッド。
【請求項９】
前記長手方向の一方は腹側方向であり、他方は背側方向であり、
前記上層溝部の前記腹側方向の上層腹側端部と前記尿取りパッドの前記腹側方向の端部との距離は、前記上層溝部の前記背側方向の上層背側端部と前記尿取りパッドの前記背側方向の端部との距離よりも短く、
前記上層腹側端部の壁面が前記上層溝部内の底面に対して成す角は、前記上層背側端部の壁面が前記上層溝部内の底面に対して成す角よりも垂直に近い、
請求項１乃至８のいずれか一項に記載の尿取りパッド。
【請求項１０】
前記上層吸収体及び前記下層吸収体は、高分子吸収体とパルプ繊維とを含んでおり、
前記高分子吸収体と前記パルプ繊維とを合わせた坪量に対する前記高分子吸収体の坪量の割合は、前記上層吸収体の方が前記下層吸収体の方よりも大きい、
請求項１乃至９のいずれか一項に記載の尿取りパッド。
【請求項１１】
前記表面シートは、肌側の表面に凸部を形成された不織布であり、
前記不織布のうち前記凸部における厚さ方向配向繊維の含有率が、前記不織布のうち前記凸部以外の部分における厚さ方向配向繊維の含有率よりも大きく、
前記不織布の湿潤時厚みが、前記不織布の乾燥時厚みの８５％以上である、
請求項１乃至１０のいずれか一項に記載の尿取りパッド。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
液透過性の表面シートと、液不透過性の裏面シートと、前記表面シートと前記裏面シートとの間に位置する吸収体とを備え、長手方向、幅方向及び厚さ方向を有する尿取りパッドであって、
前記吸収体は、肌側に位置する上層吸収体と、非肌側に位置する下層吸収体と、を備え、
前記上層吸収体は、排尿領域に、前記長手方向に延設され、前記表面シート側の面から前記厚さ方向に前記上層吸収体の内部に延びる上層溝部を有し、
前記下層吸収体は、吸収性コアと、前記吸収性コアを包む被覆シートと、を含み、
前記被覆シートは、前記吸収性コアの非肌側の面及び前記幅方向の両側面を覆い、かつ前記被覆シートの前記幅方向の両端縁同士が前記吸収性コアの肌側で重なり合った状態で前記吸収性コアの肌側の面を覆うように、前記吸収性コアを包み込んでおり、
前記吸収性コアの肌側の面は前記被覆シートと非接合であり、
前記長手方向の一方は腹側方向であり、他方は背側方向であり、
前記上層溝部の前記幅方向の一方の上層幅方向端部と、前記尿取りパッドの前記幅方向の一方の端部との距離、及び、前記上層溝部の前記幅方向の他方の上層幅方向端部と、前記尿取りパッドの前記幅方向の他方の端部との距離は、前記上層溝部の前記腹側方向の上層腹側端部と前記尿取りパッドの前記腹側方向の端部との距離、及び、前記上層溝部の前記背側方向の上層背側端部と前記尿取りパッドの前記背側方向の端部との距離よりも短く、
前記上層溝部における前記幅方向の一方及び他方の前記上層幅方向端部の壁面が前記上層溝部内の底面に対して成す角は、前記上層溝部における前記腹側方向の前記上層腹側端部の壁面が前記上層溝部内の底面に対して成す角、及び、前記上層溝部における前記背側方向の前記上層背側端部の壁面が前記上層溝部内の底面に対して成す角よりも垂直に近く、
前記上層溝部における前記上層腹側端部の壁面が前記上層溝部内の底面に対して成す角、及び、前記上層溝部における前記上層背側端部の壁面が前記上層溝部内の底面に対して成す角は垂直よりも大きい、
尿取りパッド。
【請求項２】
前記上層吸収体の非肌側の面と、前記被覆シートの肌側の面とは非接合である、
請求項１に記載の尿取りパッド。
【請求項３】
前記上層吸収体は、前記下層吸収体よりも前記幅方向に広く、
前記下層吸収体よりも広い部分は前記裏面シートと接合している
請求項１又は２に記載の尿取りパッド。
【請求項４】
前記長手方向において、前記尿取りパッドの両端部での前記表面シートと前記裏面シートとの間の接着剤の坪量は、前記尿取りパッドの前記両端部以外での前記表面シートと前記裏面シートとの間の接着剤の坪量よりも大きい、
請求項１乃至３のいずれか一項に記載の尿取りパッド。
【請求項５】
前記上層吸収体の上層溝部は前記厚さ方向に貫通しており、
前記下層吸収体の前記吸収性コアは、前記排尿領域に、前記長手方向に延設され、前記厚さ方向に窪んだ下層溝部を有し、
前記下層溝部は、前記上層溝部の少なくとも一部と前記厚さ方向に重なる、
請求項１乃至４のいずれか一項に記載の尿取りパッド。
【請求項６】
前記吸収性コアの前記下層溝部は前記厚さ方向に貫通しており、
前記吸収性コアにおける前記下層溝部の非肌側の端縁を囲む領域は、前記被覆シートと接合されている、
請求項５に記載の尿取りパッド。
【請求項７】
前記長手方向の一方は腹側方向であり、他方は背側方向であり、
前記下層溝部の前記腹側方向の下層腹側端部と前記尿取りパッドの前記腹側方向の端部との距離は、前記下層溝部の前記背側方向の下層背側端部と前記尿取りパッドの前記背側方向の端部との距離よりも短く、
前記下層溝部における前記腹側方向の前記下層腹側端部の壁面が前記下層溝部内の底面に対して成す角は、前記下層溝部における前記背側方向の前記下層背側端部の壁面が前記下層溝部内の底面に対して成す角よりも垂直に近く、
前記下層溝部における前記下層背側端部の壁面が前記下層溝部内の底面に対して成す角は垂直よりも大きい、
請求項５又は６に記載の尿取りパッド。
【請求項８】
前記下層溝部の壁面が前記下層溝部内の底面に対して成す角は、前記上層溝部の壁面が前記上層溝部内の底面に対して成す角よりも垂直に近い、
請求項５乃至７のいずれか一項に記載の尿取りパッド。
【請求項９】
前記長手方向の一方は腹側方向であり、他方は背側方向であり、
前記上層溝部の前記腹側方向の上層腹側端部と前記尿取りパッドの前記腹側方向の端部との距離は、前記上層溝部の前記背側方向の上層背側端部と前記尿取りパッドの前記背側方向の端部との距離よりも短く、
前記上層溝部における前記腹側方向の前記上層腹側端部の壁面が前記上層溝部内の底面に対して成す角は、前記上層溝部における前記背側方向の前記上層背側端部の壁面が前記上層溝部内の底面に対して成す角よりも垂直に近い、
請求項１乃至８のいずれか一項に記載の尿取りパッド。
【請求項１０】
前記上層吸収体及び前記下層吸収体は、高分子吸収体とパルプ繊維とを含んでおり、
前記高分子吸収体と前記パルプ繊維とを合わせた坪量に対する前記高分子吸収体の坪量の割合は、前記上層吸収体の方が前記下層吸収体の方よりも大きい、
請求項１乃至９のいずれか一項に記載の尿取りパッド。
【請求項１１】
前記表面シートは、肌側の表面に凸部を形成された不織布であり、
前記不織布のうち前記凸部における厚さ方向配向繊維の含有率が、前記不織布のうち前記凸部以外の部分における厚さ方向配向繊維の含有率よりも大きく、
前記不織布の湿潤時厚みが、前記不織布の乾燥時厚みの８５％以上である、
請求項１乃至１０のいずれか一項に記載の尿取りパッド。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
液透過性の表面シートと、液不透過性の裏面シートと、前記表面シートと前記裏面シートとの間に位置する吸収体とを備え、長手方向、幅方向及び厚さ方向を有する尿取りパッドであって、
前記吸収体は、肌側に位置する上層吸収体と、非肌側に位置する下層吸収体と、を備え、
前記上層吸収体は、排尿領域に、前記長手方向に延設され、前記表面シート側の面から前記厚さ方向に前記上層吸収体の内部に延びる上層溝部を有し、
前記下層吸収体は、吸収性コアと、前記吸収性コアを包む被覆シートと、を含み、
前記被覆シートは、前記吸収性コアの非肌側の面及び前記幅方向の両側面を覆い、かつ前記被覆シートの前記幅方向の両端縁同士が前記吸収性コアの肌側で重なり合った状態で前記吸収性コアの肌側の面を覆うように、前記吸収性コアを包み込んでおり、
前記吸収性コアの肌側の面は前記被覆シートと非接合であり、
前記長手方向の一方は腹側方向であり、他方は背側方向であり、
前記上層溝部の前記幅方向の一方の上層幅方向端部と、前記尿取りパッドの前記幅方向の一方の端部との距離、及び、前記上層溝部の前記幅方向の他方の上層幅方向端部と、前記尿取りパッドの前記幅方向の他方の端部との距離は、前記上層溝部の前記腹側方向の上層腹側端部と前記尿取りパッドの前記腹側方向の端部との距離、及び、前記上層溝部の前記背側方向の上層背側端部と前記尿取りパッドの前記背側方向の端部との距離よりも短く、
前記上層溝部における前記幅方向の一方及び他方の前記上層幅方向端部の壁面が前記上層溝部内の底面に対して成す角は、前記上層溝部における前記腹側方向の前記上層腹側端部の壁面が前記上層溝部内の底面に対して成す角、及び、前記上層溝部における前記背側方向の前記上層背側端部の壁面が前記上層溝部内の底面に対して成す角よりも垂直に近く、
前記上層溝部における前記上層腹側端部の壁面が前記上層溝部内の底面に対して成す角、及び、前記上層溝部における前記上層背側端部の壁面が前記上層溝部内の底面に対して成す角は垂直よりも大きい、
尿取りパッド。
【請求項２】
前記上層吸収体の非肌側の面と、前記被覆シートの肌側の面とは非接合である、
請求項１に記載の尿取りパッド。
【請求項３】
前記上層吸収体は、前記下層吸収体よりも前記幅方向に広く、
前記下層吸収体よりも広い部分は前記裏面シートと接合している
請求項１又は２に記載の尿取りパッド。
【請求項４】
前記長手方向において、前記尿取りパッドの両端部での前記表面シートと前記裏面シートとの間の接着剤の坪量は、前記尿取りパッドの前記両端部以外での前記表面シートと前記裏面シートとの間の接着剤の坪量よりも大きい、
請求項１乃至３のいずれか一項に記載の尿取りパッド。
【請求項５】
前記上層吸収体の上層溝部は前記厚さ方向に貫通しており、
前記下層吸収体の前記吸収性コアは、前記排尿領域に、前記長手方向に延設され、前記厚さ方向に窪んだ下層溝部を有し、
前記下層溝部は、前記上層溝部の少なくとも一部と前記厚さ方向に重なる、
請求項１乃至４のいずれか一項に記載の尿取りパッド。
【請求項６】
前記吸収性コアの前記下層溝部は前記厚さ方向に貫通しており、
前記吸収性コアにおける前記下層溝部の非肌側の端縁を囲む領域は、前記被覆シートと接合されている、
請求項５に記載の尿取りパッド。
【請求項７】
前記長手方向の一方は腹側方向であり、他方は背側方向であり、
前記下層溝部の前記腹側方向の下層腹側端部と前記尿取りパッドの前記腹側方向の端部との距離は、前記下層溝部の前記背側方向の下層背側端部と前記尿取りパッドの前記背側方向の端部との距離よりも短く、
前記下層溝部における前記腹側方向の前記下層腹側端部の壁面が前記下層溝部内の底面に対して成す角は、前記下層溝部における前記背側方向の前記下層背側端部の壁面が前記下層溝部内の底面に対して成す角よりも垂直に近く、
前記下層溝部における前記下層背側端部の壁面が前記下層溝部内の底面に対して成す角は垂直よりも大きい、
請求項５又は６に記載の尿取りパッド。
【請求項８】
前記下層溝部の壁面が前記下層溝部内の底面に対して成す角は、前記上層溝部の壁面が前記上層溝部内の底面に対して成す角よりも垂直に近い、
請求項５乃至７のいずれか一項に記載の尿取りパッド。
【請求項９】
前記長手方向の一方は腹側方向であり、他方は背側方向であり、
前記上層溝部の前記腹側方向の上層腹側端部と前記尿取りパッドの前記腹側方向の端部との距離は、前記上層溝部の前記背側方向の上層背側端部と前記尿取りパッドの前記背側方向の端部との距離よりも短く、
前記上層溝部における前記腹側方向の前記上層腹側端部の壁面が前記上層溝部内の底面に対して成す角は、前記上層溝部における前記背側方向の前記上層背側端部の壁面が前記上層溝部内の底面に対して成す角よりも垂直に近い、
請求項１乃至８のいずれか一項に記載の尿取りパッド。
【請求項１０】
前記上層吸収体及び前記下層吸収体は、高分子吸収体とパルプ繊維とを含んでおり、
前記高分子吸収体と前記パルプ繊維とを合わせた坪量に対する前記高分子吸収体の坪量の割合は、前記上層吸収体の方が前記下層吸収体の方よりも大きい、
請求項１乃至９のいずれか一項に記載の尿取りパッド。
【請求項１１】
前記表面シートは、肌側の表面に凸部を形成された不織布であり、
前記不織布のうち前記凸部における厚さ方向配向繊維の含有率が、前記不織布のうち前記凸部以外の部分における厚さ方向配向繊維の含有率よりも大きく、
前記不織布の湿潤時厚みが、前記不織布の乾燥時厚みの８５％以上である、
請求項１乃至１０のいずれか一項に記載の尿取りパッド。
【請求項１２】
前記収性コアは高分子吸収体を含み、
前記被覆シートは、前記吸収性コアの肌側の面を覆う、前記被覆シートの前記幅方向の両端部のうちの一方及び他方である第１の肌側部分及び第２の肌側部分を含み、
前記第１の肌側部分は、平面視で、前記幅方向の一方から他方へ向かって、前記下層溝部の上方を覆い、かつ、前記上層溝部の下方を覆いつつ、前記下部溝部以外の前記吸収コアと前記上部溝部以外の前記上層吸収体との間にまで延び、
前記第２の肌側部分は、平面視で、前記幅方向の他方から一方へ向かって、前記下層溝部の上方を覆い、かつ、前記上層溝部の下方を覆いつつ、前記下部溝部以外の前記吸収コアと前記上部溝部以外の前記上層吸収体との間にまで延びる、
請求項５に記載の尿取りパッド。